(57)【要約】【課題】入光面付近での輝度均一性を大幅に向上させることのできる導光板及びこれを有するバックライトアセンブリ並びに表示装置を提供する。【解決手段】導光板であって、光が入射される入光面と、前記入光面と対向する対向面と、前記入光面と前記対向面との間を連結する出光面と、前記出光面と対向する光ガイド面とを有し、前記光ガイド面は、前記入光面から前記対向面に向かって延長された複数の直線形状のプリズムが形成されるプリズム領域と、前記入光面と近接する部位に平坦な領域が形成される無プリズム領域と、前記無プリズム領域に対して異なる高さを有し、前記プリズム領域と前記無プリズム領域との間に配置される連結領域とを含む。【選択図】      図２
2010114073.tif 000002
【特許請求の範囲】
【請求項１】
導光板であって、
光が入射される入光面と、
前記入光面と対向する対向面と、
前記入光面と前記対向面との間を連結する出光面と、
前記出光面と対向する光ガイド面とを有し、
前記光ガイド面は、前記入光面から前記対向面に向かって延長された複数の直線形状のプリズムが形成されるプリズム領域と、
前記入光面と近接する部位に平坦な領域が形成される無プリズム領域と、
前記無プリズム領域に対して異なる高さを有し、前記プリズム領域と前記無プリズム領域との間に配置される連結領域とを含むことを特徴とする導光板。
【請求項２】
前記連結領域は、前記無プリズム領域から前記導光板の出光面と反対の外部方向に突出して形成される段差面を含むことを特徴とする請求項１記載の導光板。
【請求項３】
前記連結領域の導光板の厚さは、前記無プリズム領域の導光板の厚さより大きいことを特徴とする請求項２記載の導光板。
【請求項４】
前記連結領域の導光板の厚さは、前記プリズム領域の導光板の厚さより小さいか、同じであることを特徴とする請求項３記載の導光板。
【請求項５】
前記連結領域に向かって延長された前記直線形状のプリズムの端部には、前記段差面と接する傾斜面が形成されることを特徴とする請求項４記載の導光板。
【請求項６】
前記傾斜面は、三角形の形状であることを特徴とする請求項５記載の導光板。
【請求項７】
前記連結領域は、前記段差面と直交して接する平面を更に含み、前記直線形状のプリズムの端部には前記平面に接する傾斜面が形成されることを特徴とする請求項４記載の導光板。
【請求項８】
光を発生させ、出射する光源と、
前記光が入射される入光面と、前記入光面と対向する対向面と、前記入光面と前記対向面との間を連結する出光面と、前記出光面に対向して前記入光面から前記対向面に向かう方向に第１の直線形状のプリズムが形成されるプリズム領域と前記入光面と近接する部位に平坦な領域が形成される無プリズム領域と該無プリズム領域に対して異なる高さを有して前記無プリズム領域と前記プリズム領域の間に配置される連結領域とを有する光ガイド面とを含む導光板と、
前記出光面の上部に配置される光学シートとを有することを特徴とするバックライトアセンブリ。
【請求項９】
前記導光板の出光面と対向する前記光学シートの下面には第２の直線形状のプリズムが形成され、前記第１の直線形状のプリズムの延長方向と前記第２の直線形状のプリズムの延長方向とは実質的に直交するように配置されることを特徴とする請求項８記載のバックライトアセンブリ。
【請求項１０】
画像を表示する表示パネルと、
前記画像を表示するための光を発生させ、出射する光源と、
前記光が入射される入光面と、前記入光面と対向する対向面と、前記入光面と前記対向面との間を連結して前記表示パネルと向かい合う出光面と、前記出光面に対向して前記入光面から前記対向面に向かう方向に第１の直線形状のプリズムが形成されるプリズム領域と前記入光面と近接する部位に平坦な領域を有する無プリズム領域と該無プリズム領域に対して異なる高さを有して前記無プリズム領域と前記プリズム領域との間に配置される連結領域とを有する光ガイド面とを含む導光板と、
前記出光面と前記表示パネルとの間に配置される光学シートとを有することを特徴とする表示装置。
【発明の詳細な説明】
【技術分野】
【０００１】
本発明は、導光板及びこれを有するバックライトアセンブリ並びに表示装置に関し、より詳細には、入光面付近での輝度均一性を大幅に向上させることのできる導光板及びこれを有するバックライトアセンブリ並びに表示装置に関する。
【背景技術】
【０００２】
一般的に、液晶表示装置は、小型化、軽量化、低電力消費化などの長所を有しており、現在は、ディスプレイ装置を必要とする殆どの情報処理機器に装着されている実情である。
【０００３】
このような液晶表示装置は、特定の分子配列を有する液晶に電圧を印加して液晶の分子配列を変化させ、このような分子配列の変化によって発生する液晶の光学的性質の変化を視覚変化に変換する装置であって、液晶による光の変調を用いたディスプレイ装置である。
【０００４】
液晶パネルは、それ自体で発光しない受光型装置なので、液晶表示装置は、液晶パネルの下面に照明することができる別途の光源装置を採択する。このような液晶表示装置用照明装置は通常、バックライトアセンブリと呼ばれる。
【０００５】
一般的に、バックライトアセンブリは、発光光源が配置される方式によってエッジ型と直下型とに区別する。エッジ型バックライトアセンブリは、導光板の一側又は両側エッジに光源を設置し、光源から入射される光を導光板と複数の光学シートにガイドして液晶パネルに照射する。
直下型バックライトアセンブリは、液晶パネルの下面のすぐ下に複数の光源を配置し、光源から入射される光を拡散板と複数の光学シートにガイドして液晶パネルに照射する。
このようなバックライトアセンブリにおいて、液晶パネルに提供される出射光の輝度の均一性を向上させることが技術的課題となってきている。
【０００６】
例えば、図１は、光源としてＬＥＤを採用したエッジ型バックライトアセンブリの一例を示した平面図である。
図１を参照すると、点光源である複数のＬＥＤ１が導光板２の一側面に一列で配置されている。ＬＥＤ１から出射した光は、導光板の入光面に入射され、導光板に入射された光は導光板の内部で面光源として変換され液晶表示パネル（図示せず）側に照射される。
【０００７】
ところで、ＬＥＤは一定の出射角範囲に光を出射する。従って、図１に示すように、ＬＥＤ間に対応する入光面の付近には複数のＬＥＤから出射された光が交差する部分が存在し、この領域は他の部分と比べて輝度が大きく現れる。輝度が相対的に大きくて明るい部分はリング、円、又は楕円形状に現れ、これは、その形状によって「ホットスポット（ｈｏｔ  ｓｐｏｔ）」として知られている。ホットスポットによって従来のバックライトアセンブリと液晶表示装置は、表示画像で明るく見える部分が現れて、表示画像の輝度が不均一になるという問題がある。
【発明の概要】
【発明が解決しようとする課題】
【０００８】
そこで、本発明は上記従来のバックライトアセンブリにおける問題点に鑑みてなされたものであって、本発明の目的は、入光面付近での輝度均一性を大幅に向上させることのできる導光板及びこれを有するバックライトアセンブリ並びに表示装置を提供することにある。
【課題を解決するための手段】
【０００９】
上記目的を達成するためになされた本発明による導光板は、導光板であって、光が入射される入光面と、前記入光面と対向する対向面と、前記入光面と前記対向面との間を連結する出光面と、前記出光面と対向する光ガイド面とを有し、前記光ガイド面は、前記入光面から前記対向面に向かって延長された複数の直線形状のプリズムが形成されるプリズム領域と、前記入光面と近接する部位に平坦な領域が形成される無プリズム領域と、前記無プリズム領域に対して異なる高さを有し、前記プリズム領域と前記無プリズム領域との間に配置される連結領域とを含むことを特徴とする。
【００１０】
前記連結領域は、前記無プリズム領域から前記導光板の出光面と反対の外部方向に突出して形成される段差面を含むことが好ましい。
前記連結領域の導光板の厚さは、前記無プリズム領域の導光板の厚さより大きいことが好ましい。
前記連結領域の導光板の厚さは、前記プリズム領域の導光板の厚さより小さいか、同じであることが好ましい。
【００１１】
前記連結領域に向かって延長された前記直線形状のプリズムの端部には、前記段差面と接する傾斜面が形成されることが好ましい。
前記傾斜面は、三角形の形状であることが好ましい。
前記連結領域は、前記段差面と直交して接する平面を更に含み、前記直線形状のプリズムの端部には前記平面に接する傾斜面が形成されることが好ましい。
【００１２】
上記目的を達成するためになされた本発明によるバックライトアセンブリは、光を発生させ、出射する光源と、前記光が入射される入光面と、前記入光面と対向する対向面と、前記入光面と前記対向面との間を連結する出光面と、前記出光面に対向して前記入光面から前記対向面に向かう方向に第１の直線形状のプリズムが形成されるプリズム領域と前記入光面と近接する部位に平坦な領域が形成される無プリズム領域と該無プリズム領域に対して異なる高さを有して前記無プリズム領域と前記プリズム領域の間に配置される連結領域とを有する光ガイド面とを含む導光板と、前記出光面の上部に配置される光学シートとを有することを特徴とする。
【００１３】
前記導光板の出光面と対向する前記光学シートの下面には第２の直線形状のプリズムが形成され、前記第１の直線形状のプリズムの延長方向と前記第２の直線形状のプリズムの延長方向とは実質的に直交するように配置されることが好ましい。
【００１４】
上記目的を達成するためになされた本発明による表示装置は、画像を表示する表示パネルと、前記画像を表示するための光を発生させ、出射する光源と、前記光が入射される入光面と、前記入光面と対向する対向面と、前記入光面と前記対向面との間を連結して前記表示パネルと向かい合う出光面と、前記出光面に対向して前記入光面から前記対向面に向かう方向に第１の直線形状のプリズムが形成されるプリズム領域と前記入光面と近接する部位に平坦な領域を有する無プリズム領域と該無プリズム領域に対して異なる高さを有して前記無プリズム領域と前記プリズム領域との間に配置される連結領域とを有する光ガイド面とを含む導光板と、前記出光面と前記表示パネルとの間に配置される光学シートとを有することを特徴とする。
【発明の効果】
【００１５】
本発明に係る導光板及びこれを有するバックライトアセンブリ並びに表示装置によれば、導光板の入光面の付近でホットスポットが発生することを防止できる。従って、バックライトアセンブリの輝度均一性が向上し、表示装置の表示品質が向上するという効果がある。
【図面の簡単な説明】
【００１６】
【図１】ＬＥＤを採用したエッジ型バックライトアセンブリの一例を示す平面図である。
【図２】本発明の第１の実施形態による表示装置の分解斜視図である。
【図３】図２に示した表示装置をＩ−Ｉ’線に沿って切断した断面図である。
【図４】図２に示した導光板の光ガイド面を示す斜視図である。
【図５】図３に示した導光板の断面図である。
【図６】図３に示した導光板の変形例を示す断面図である。
【図７】図４に示した導光板の光ガイド面の一部を示す平面図である。
【図８】図７に示した導光板をＩＩ−ＩＩ’線に沿って切断した断面図である。
【図９】導光板の下面に無プリズム領域及び段差面が形成されず、第１直線形状プリズムが導光板の下面に全体的に形成された導光板の入光面に近接する出光面を撮影した写真である。
【図１０】図２〜図８で説明した導光板で入光面に近接する出光面を撮影した写真である。
【図１１】導光板の下面に無プリズム領域及び段差面が形成されず、第１直線形状プリズムが導光板の下面に全体的に形成された導光板を有する表示装置の表示画面を撮影した写真である。
【図１２】図２〜図８で説明した表示装置の表示画面を撮影した写真である。
【図１３】本発明の第２の実施形態による導光板の部分断面図である。
【発明を実施するための形態】
【００１７】
次に、本発明に係る導光板及びこれを有するバックライトアセンブリ並びに表示装置を実施するための形態の具体例を図面を参照しながら説明する。
【００１８】
本発明は多様に変更することができ、多様な形態を有することができるが、特定の実施形態を図面に例示して詳細に説明する。しかし、これは、本発明を特定の開示形態に限定するのではなく、本発明の思想及び技術範囲に含まれる全ての変更、均等物、乃至代替物を含むことを理解すべきである。
【００１９】
各図面を説明しながら同様の参照符号を同様の構成要素に対して付与した。図面において、構造物の寸法は本発明の明確性のために実際より拡大して示した。
【００２０】
第１、第２等の用語は、多様な構成要素を説明するために使用することができるが、構成要素は用語によって限定されない。用語は一つの構成要素を他の構成要素から区別する目的としてのみ使用される。例えば、本発明の権利範囲から逸脱することなしに、第１構成要素は第２構成要素と称されてもよく、同様に第２構成要素も第１構成要素に称されてもよい。単数の表現は、文脈上、明白に相違が示されない限り、複数の表現を含む。
【００２１】
本明細書において、「含む」または「有する」等の用語は、明細書上に記載された特徴、数字、段階、動作、構成要素、部品、又はこれらを組み合わせたものが存在することを意図するものであって、一つまたはそれ以上の他の特徴や数字、段階、動作、構成要素、部品、又はこれらを組み合わせたもの等の存在または付加の可能性を予め排除しないことを理解しなければならない。
【００２２】
なお、異なるものとして定義しない限り、技術的な又は科学的な用語を含めてここで用いられる全ての用語は、本発明が属する技術分野において通常の知識を有する者によって一般的に理解されるものと同一の意味を有している。一般的に用いられる辞典に定義されているもののような用語は、関連技術の文脈上で有する意味と一致する意味を有することと解釈すべきであり、本出願で明白に定義されない限り、異常に又は過度に形式的な意味には解釈されない。
【００２３】
第１の実施形態
図２は、本発明の第１の実施形態による表示装置１００の分解斜視図である。
図３は、図２に示した表示装置をＩ−Ｉ’線に沿って切断した断面図である。
【００２４】
図２及び図３を参照すると、本発明の第１の実施形態による表示装置１００は、表示パネル１９０及びバックライトアセンブリ１２０を含む。
【００２５】
表示パネル１９０は、外部から印加される駆動信号とデータ信号によって画像を表示する。表示パネル１９０は、アレイ基板１９１、アレイ基板１９１と対向する対向基板１９３、及びこれらの間に介在する液晶層を含むことができる。
【００２６】
バックライトアセンブリ１２０は、表示パネル１９０の下面に配置され画像表示の基となる光を表示パネル１９０の下面へ出射する。本実施形態のバックライトアセンブリ１２０は、光源１５０、光学シート、及び導光板１７０を含む。本実施形態において、バックライトアセンブリ１２０は、光源１５０が導光板１７０の一側面に配置されるエッジ型バックライトアセンブリである。
【００２７】
光源１５０としては発光ダイオード（ＬＥＤ）のような点光源が使用される。発光ダイオードには制限がなく、白色発光ダイオードを使用するか、それぞれ、赤色（Ｒ）、緑色（Ｇ）、青色（Ｂ）の光を発生する３つの発光ダイオードを組み合わせて使用することも可能である。
【００２８】
本実施形態と異なり、光源１５０として、冷陰極蛍光ランプ（ＣＣＦＬ）や外部電極蛍光ランプ（ＥＥＦＬ）のような線形の光源を使用することもできる。
【００２９】
導光板１７０は、光源１５０から出射した光をガイドして表示パネル１９０の下面に向かって出射する。導光板１７０は、入光面１７１、対向面１７３、出光面１７５、及び光ガイド面１７７を含む。
【００３０】
入光面１７１及び対向面１７３は、導光板１７０の側面であり、互いに対向するように配置されている。光源１５０は、入光面１７１と向き合うように配置され、互いに一定の間隔で離隔している。
【００３１】
出光面１７５は、表示パネル１９０の下面と向き合うように配置され、入光面１７１及び対向面１７３を連結する。出光面１７５は、入光面１７１に近接して形成された第１傾斜面１７５ｃを含む。第１傾斜面１７５ｃの部分は、入光面１７１から離れるほど導光板１７０の厚さが薄くなるように形成されている。
【００３２】
図４は、図２に示した導光板の光ガイド面を示す斜視図である。
図４を参照すると、光ガイド面１７７は、導光板１７０の下面であって、入光面１７１に入射した光をガイドして輝度均一性を向上させる。光ガイド面１７７は、無プリズム領域１７２、プリズム領域１７６、及び連結領域１７４を含む。
【００３３】
無プリズム領域１７２は、入光面１７１と接する平らな領域で、プリズムが形成されていない領域である。無プリズム領域１７２は一定の幅を有する帯形状である。
プリズム領域１７６には、入光面１７１から対向面１７３に向かう方向に第１直線形状プリズム１７９が形成される。連結領域１７４は、無プリズム領域１７２とプリズム領域１７６との間に配置される。無プリズム領域１７２、プリズム領域１７６、及び連結領域１７４についての詳細は後述する。
【００３４】
バックライトアセンブリ１２０は、入光面１７１と向き合って光源１５０を外側から囲むように配置される光源反射板（図示せず）を更に含むことができる。光源反射板は金属又はプラスティック材質で製作することができ、光を反射することができる物質で内壁をコーティングする。光源反射板は、光源１５０から発生した光を入光面１７１側に反射させて光利用効率を向上させる。
【００３５】
光源１５０が出射した光は、入光面１７１を通じて導光板１７０の内部に導入される。
導光板１７０の内部に導入された光は、導光板１７０の内部で全反射され、全反射した光は出光面１７５に対して特定の入射角を有するとき、出光面１７５を通じて出射される。光が導光板１７０の内部で反復して全反射されながら出光面１７５の全体にわたって比較的輝度が均一な光を出射する。
【００３６】
導光板１７０の内部で上述したように反復して全反射される光が出光面１７５を通じて出射されるように光ガイド面１７７には光が全反射条件を外れる手段が形成される。
【００３７】
例えば、出光面１７５に対向する光ガイド面１７７にドット印刷法などによって光散乱パターンを形成するか、グルーブ又はプリズムパターン、例えば、本実施形態のように第１直線形状プリズム１７９を形成してグルーブ又は第１直線形状プリズム１７９が光の光経路を変更させて光が出射されるようにする。
【００３８】
導光板１７０は、ポリメチルメタクリレート又はポリカボネートのような透明樹脂で製造することができる。
【００３９】
バックライトアセンブリ１２０は、反射シート１８０を更に含むことができる。反射シート１８０は、導光板１７０の光ガイド面１７７と向き合うように配置され、光ガイド面１７７から漏洩する光を反射させて光ガイド面１７７に入射させる。
【００４０】
光学シートは、導光板１７０の出光面１７５と表示パネル１９０の下面との間に配置される。光学シートは、出光面１７５から出射した光の輝度均一性及び正面輝度を向上させて表示パネル１９０の下面に出射する。
【００４１】
図２及び図３を再び参照すると、光学シートは、逆プリズムシート１３０を含むことができる。逆プリズムシート１３０は、導光板１７０から出射される光の正面輝度を向上させる役割を果たす。
逆プリズムシート１３０は、ベースフィルム１３１及びベースフィルム１３１の下面に形成された第２直線形状プリズム１３３を含む。
【００４２】
第２直線形状プリズム１３３は、ベースフィルム１３１の下面に陽刻または陰刻されており、ストライプ形状に形成されている。第２直線形状プリズム１３３の横断面は三角形状を有することができる。
【００４３】
本実施形態のように、導光板１７０の下面、即ち光ガイド面１７７にのみ第１直線形状プリズム１７９が形成される場合には、第２直線形状プリズム１３３は、ベースフィルム１３１の下面に第１直線形状プリズム１７９の延長方向と実質的に直交する方向に形成する。
これとは異なり、第１直線形状プリズム１７９に加えて導光板１７０の上面、即ち、出光面１７５に第３直線形状プリズム（図示せず）が更に形成される場合には、逆プリズムシート１３０の第２直線形状プリズム１３３は第３直線形状プリズム（図示せず）の延長方向と実質的に直交する方向に形成することもできる。
【００４４】
上述したように、本実施形態では、導光板１７０には光ガイド面１７７にのみ第１直線形状プリズム１７９が形成される。従って、第２直線形状プリズム１３３と第１直線形状プリズム１７９の延長方向は、互いに実質的に直交するように配置される。第１直線形状プリズム１７９と第２直線形状プリズム１３３が互いに直交する方向に配置されるので、バックライトアセンブリ１２０は、別途のプリズムシートを含まなくても、別途のプリズムシートを使用した場合と同じであるか、向上された輝度均一性を得ることができる。
【００４５】
また、図に示していないが、光学シートは、少なくとも１枚の拡散シートを更に含むことができる。拡散シートは、逆プリズムシートの下部または上部に配置することができる。
【００４６】
図５は、図３に示した導光板の断面図である。
図５を参照すると、本実施形態において、導光板１７０は、上述したように、くさび形タイプであり、導光板の入光部側の厚さが対向部側の厚さより大きく形成される。このようなくさび形タイプの導光板は、よりスリムな構造のエッジ型バックライトアセンブリを達成するのに適合である。
【００４７】
図６は、図３に示した導光板１７０の変形例を示す断面図である。
図６を参照すると、導光板１７０は、図６に示すように、フラットタイプの導光板２７０に代替することができる。
【００４８】
フラットタイプの導光板２７０は、出光面２７５において第１傾斜面が除去され平坦に形成され、導光板２７０の厚さが全体的に均一である。フラットタイプの導光板２７０は、出光面２７５が平坦に形成されるので、光学シートを出光面２７５の上に配置するのがくさび形タイプより容易である。
【００４９】
図２を再び参照すると、この実施形態の導光板１７０はくさび形タイプの導光板１７０で、導光板１７０の入光面１７１部分の厚さ（Ｄ１）は対向面１７３部分での厚さ（Ｄ２）より大きく、厚さ（Ｄ１）は光源１５０の厚さより大きいか、又は同じである。
【００５０】
図７は、図４に示した導光板の光ガイド面の一部を示す平面図である。
図８は、図７に示した導光板をＩＩ−ＩＩ’線に沿って切断した断面図である。
【００５１】
図５〜図８を参照すると、上述したように、光ガイド面１７７は、プリズム領域１７６、無プリズム領域１７２、及び連結領域１７４を有する。
【００５２】
無プリズム領域１７２は、入光面１７１に接して一定な幅に延長された帯形状を有する。
【００５３】
連結領域１７４は、無プリズム領域１７２とプリズム領域１７６との間に配置される。
連結領域１７４は、無プリズム領域１７２に対して異なる高さに形成される。従って、連結領域１７４は、無プリズム領域１７２から導光板１７０の外部方向に突出され形成された段差面１７８ｂを更に含むことができる。
【００５４】
プリズム領域１７６には、上述したように、複数の第１直線形状プリズム１７９が形成される。第１直線形状プリズム１７９は、入光面１７１から対向面１７３に向かう方向に延長されている。第１直線形状プリズム１７９の横断面は三角形形状を有する。第１直線形状プリズム１７９は、上述したように、逆プリズムシート１３０に形成された第２直線形状プリズム１３３の延長方向と直交する方向に延長される。
【００５５】
連結領域１７４は、無プリズム領域１７２に対して段差があるように形成されるので、連結領域１７４の導光板の厚さは、無プリズム領域１７２の導光板の厚さより大きく形成することもできる。
【００５６】
また、連結領域１７４の導光板１７０の厚さは、プリズム領域１７６の導光板１７０の厚さより小さいか、又は同じでもよい。
【００５７】
例えば、連結領域１７４の段差面１７８ｂまで第１直線形状プリズム１７９が延長される場合、連結領域１７４の導光板１７０の厚さとプリズム領域１７６の導光板１７０の厚さは同じでもよい。
【００５８】
また、例えば、本実施形態のように、段差面１７８ｂまで延長された第１直線形状プリズム１７９の端部を傾斜して切断して、連結領域１７４に第２傾斜面１７８ａを形成することもできる。この場合、連結領域１７４の導光板１７０の厚さは、プリズム領域１７６に接近するにしたがって徐々に増加する。
【００５９】
図７を参照すると、傾斜面１７８ａは三角形形状を有し、三角形の２辺はプリズム領域１７６に形成されたプリズムと接触する。
【００６０】
本実施形態において、例えば、無プリズム領域１７２の幅（ａ）は、連結領域１７４の幅（ｂ）より大きいか、又は同じであり、無プリズム領域１７２の幅（ａ）と連結領域１７４の幅（ｂ）との和は、入光面１７１から実効領域までの距離（ｃ）より小さいか、又は同じであることが好ましい。ここで、実効領域は、表示パネル１９０の表示画面に対応する導光板１７０の有効光出射領域で定義される。
【００６１】
また、本実施形態において、幅（ａ）は少なくとも０．５ｍｍで、連結領域１７４の幅（ｂ）はプリズム領域１７６で第１直線形状プリズム１７９の上端部を基準とした導光板１７０の厚さ（Ｔ）より大きいか、又は同じであり、導光板１７０の厚さの３倍（３Ｔ）より小さいか、又は同じである。即ち、Ｔ≦ｂ≦３Ｔである。
【００６２】
傾斜面１７８ａの傾き（θ）は、傾斜面１７８ａの最低点の高さを基準として、プリズム領域１７６の第１直線形状プリズム１７９の高さ（Ｈ）に対する連結領域１７４の幅（ｂ）のアークタンジェント値を有する。即ち、θ＝ｔａｎ−１（ｂ／Ｈ）である。好ましく、θ値は１°未満である。
【００６３】
図９は、導光板の下面に無プリズム領域及び段差面が形成されず、第１直線形状プリズムが導光板の下面に全体的に形成された導光板の入光面に近接する出光面を撮影した写真である。
図１０は、図２〜図８で説明した導光板で入光面に近接する出光面を撮影した写真である。
図１１は、従来の導光板を有する表示装置の表示画面を撮影した写真である。
図１２は、図２〜図８で説明した導光板を有する表示装置の表示画面を撮影した写真である。
【００６４】
図９を参照すると、導光板の下面に無プリズム領域及び段差面が形成されず、第１直線形状プリズム１７９が導光板の下面に全体的に形成される場合には、より容易に入光面１７１に入射された光が第１直線形状プリズム１７９のプリズム山に沿って対向面側に放射状に広がる。
【００６５】
これによって、導光板の入光面に近接する所には、図９に示すように、光源１５０の間に対応する領域が周辺より輝度が顕著に高いホットスポットが確実に視認することができる。
その結果、図１１に示すように、入光面１７１に近接する所で表示画面の輝度が不均一になり、放射状の光の漏れによって、全体表示画面の品質が低下することになる。
【００６６】
このような現象を改善するために、本実施形態では、上述したように、無プリズム領域１７２にはプリズムが形成されない。例えば、光ガイド面１７７の全体に第１直線形状プリズム１７９を形成してから、無プリズム領域１７２に対応する部位の第１直線形状プリズム１７９を除去して無プリズム領域１７２を形成することができる。
【００６７】
また、上述したように無プリズム領域１７２と連結領域１７４は、段差面１７８ｂによって互いに連結されている。段差面１７８ｂによって、図１０に示すように、入光面１７１に入射した光が段差面１７８ｂによって遮断され放射状に広がることを大部分防止することができる。即ち、図１２に示すように、入光面１７１に隣接した表示パネル１９０の表示領域に明部と暗部が視認されることを防止することができる。
【００６８】
本実施形態では、連結領域１７４は、無プリズム領域１７２に対して１段の段差だけを有するが、これと異なり、連結領域１７４は、無プリズム領域１７２に対して２段以上に段差があるように形成することもできる。光源１５０から発生した光は、無プリズム領域１７２と連結領域１７４との間の段差によって対向面１７３に向かって進行することができず、連結領域１７４に形成された傾斜面１７８ａによって光の漏れがより防止される。
【００６９】
第２の実施形態
図１３は、本発明の第２の実施形態による導光板の部分断面図である。
【００７０】
図１３を参照すると、本実施形態による導光板３７０は、段差面３７８ｂと垂直に接する平面３７８ｃが形成されることを除いては、図２〜図８で説明した導光板１７０と実質的に同じである。従って、対応する同様の要素については同様の参照番号を使用し、重複する説明は省略する。
【００７１】
本実施形態において、連結領域３７４は、無プリズム領域３７２と異なる高さで形成され、無プリズム領域３７２から導光板３７０の外部方向に突出された段差面３７８ｂと垂直に接する平面３７８ｃが一定の幅で平坦に形成される。平面３７８ｃに接する第２傾斜面３７８ａが形成されており、第２傾斜面３７８ａはプリズム領域３７６に形成された第１直線形状プリズムと連結している。
【００７２】
本実施形態によるバックライトアセンブリ及び表示装置は、図１３に示した導光板３７０を含むことを除いては、図２〜図８で説明したバックライトアセンブリ１２０及び表示装置１００と実質的に同じである。従って、重複する説明は省略する。
【００７３】
本実施形態の導光板３７０によると、第１直線形状プリズム３７９が連結領域３７４の縁部、即ち、段差面３７８ｂから一定の幅で離隔しており、入光面３７１から入射した光が第１直線形状プリズム３７９に沿って放射状に進行してホットスポットを発生させることをより抑制することができる。
【００７４】
尚、本発明は、上述の実施形態に限られるものではない。本発明の技術的範囲から逸脱しない範囲内で多様に変更実施することが可能である。
【産業上の利用可能性】
【００７５】
本発明は、導光板とＬＥＤを使用するエッジ型バックライトアセンブリ及びそれを用いる表示装置に好適に利用することができる。
【符号の説明】
【００７６】
１００    表示装置
１２０    バックライトアセンブリ
１３０    逆プリズムシート
１３１    ベースフィルム
１３３    第２直線形状プリズム
１５０、３５０    光源
１７０、２７０、３７０    導光板
１７１、３７１    入光面
１７２、３７２    無プリズム領域
１７４、３７４    連結領域
１７５    出光面
１７５ｃ    第１傾斜面
１７６、３７６    プリズム領域
１７７、３７７    光ガイド面
１７８ａ、３７８ａ    傾斜面
１７８ｂ、３７８ｂ    段差面
１７９、３７９    第１直線形状プリズム
１８０    反射シート
１９０    表示パネル
【図１】
2010114073.tif 000003
【図２】
2010114073.tif 000004
【図３】
2010114073.tif 000005
【図４】
2010114073.tif 000006
【図５】
2010114073.tif 000007
【図６】
2010114073.tif 000008
【図７】
2010114073.tif 000009
【図８】
2010114073.tif 000010
【図９】
2010114073.tif 000011
【図１０】
2010114073.tif 000012
【図１１】
2010114073.tif 000013
【図１２】
2010114073.tif 000014
【図１３】
2010114073.tif 000015